(57)【要約】【課題】ガラス製または陶磁器製のびんなどの保管、運搬、陳列などに使用できる保持具の提供。【解決手段】保持具１は、基板部10と基板部10の周囲を囲む側壁部20を有しており、基板部10の中心部を含む一部または全部が、頂部に凹部32が形成された湾曲面部31を含む支持部30を有しており、側壁部20は、ガラスびんなどの底面部側の側面部に当接できる内表面形状を有している。【選択図】図１
2019034778.tif 000002
【特許請求の範囲】
【請求項１】
ガラスまたは陶磁器からなる、底面部、前記底面部と高さ方向反対側の開口部、および前記底面部と前記開口部の間の側面部を有する中空成形体の底部または開口部を保持するための保持具であって、
前記保持具が、基板部と、前記基板部の周囲を囲む側壁部を有しており、
前記基板部の中心部を含む一部または前記基板部の全部が、頂部に凹部が形成された湾曲面部を含む支持部を有しているものであり、
前記側壁部が、前記中空成形体の底面部側または開口部側の側面部に当接できる内表面形状を有しているものであり、
前記中空成形体の底面部側を保持する必要があるときは、前記底面部が前記基板部の支持部に当接され、かつ前記中空成形体の底面部側の側面部が前記側壁部の内表面に当接されるように置かれ、
前記中空成形体の開口部側を保持する必要があるときは、前記支持部の凹部に前記中空成形体の開口部側が嵌め込まれるか、または前記支持部若しくは前記側壁部と前記支持部の境界部分に前記開口部の周縁が当接されるように置かれることで保持されるものである、保持具。
【請求項２】
前記側壁部が、環状平面部、前記環状平面部の外周縁部から前記基板部方向に下ろされた外側壁部、前記環状平面部の内周縁部から前記基板部方向に下ろされた内側壁部を有しており、
前記外側壁部が前記基板部の外側に位置し、前記内側壁部が前記基板部と一体になっているものである、請求項１記載の保持具。
【請求項３】
前記側壁部の平面形状が正方形であり、前記支持部の平面形状が円形である、請求項１または２記載の保持具。
【請求項４】
請求項１〜３のいずれか１項に記載の保持具の複数が一体化されることで、複数の中空成形体が保持できるようにされたものである、保持具。
【請求項５】
前記ガラスまたは陶磁器からなる中空成形体が、アルコール飲料のびん、非アルコール飲料のびん、花びん、コップ、ジョッキから選ばれるものである、請求項１〜４のいずれか１項記載の保持具。
【請求項６】
請求項１記載の保持具を使用した前記中空成形体の保持方法であって、
前記中空成形体として、密栓されたガラスまたは陶磁器のびんを用意する手順１、
箱容器の底に１または複数の前記保持具を配置する手順２、
前記びんの底面部が前記保持具の基板部の支持部に当接され、かつ前記びんの底面部側の側面部が前記側壁部の内表面に当接されるように１または複数のびんを置く手順３、
前記１または複数のびんに保持具を被せるとき、前記びんの栓に前記保持具の支持部の凹部を嵌め込んで被せる手順４を有している、中空成形体の保持方法。
【発明の詳細な説明】
【技術分野】
【０００１】
本発明は、ガラスびんや花びんなどの中空成形体の保管、運搬および陳列などに使用できる保持具と、それを使用した中空成形体の保持方法に関する。
【背景技術】
【０００２】
酒の一升びんなどを保管または運搬するために箱詰めするときには、複数枚の段ボール製の仕切り板を複数の升形が形成されるように組み合わせたものを配置して、それぞれの升形内に一升びんを入れた状態で保管または運搬されている。
しかし、複数枚の仕切り板を組み合わせる作業が繁雑であることと、運搬時などに振動が加えられると、仕切り板が一升びんのラベルと擦れることでラベルが損傷するという問題もある。
特許文献１〜３には、飲料びん、バイアルびんなどを箱詰めするときに使用する仕切り部材の発明が記載されている。
【先行技術文献】
【特許文献】
【０００３】
【特許文献１】特表平９−５０４２５９号公報
【特許文献２】特開２００２−１２８０６５号公報
【特許文献３】特開２００６−３３５３８９号公報
【発明の概要】
【発明が解決しようとする課題】
【０００４】
本発明は、アルコール飲料や非アルコール飲料などのガラスびんなどの中空成形体が入った製品の保管および運搬に使用したり、花びんを陳列したりするときに適した保持具と、それを使用した中空成形体の保持方法に関する。
【課題を解決するための手段】
【０００５】
本発明は、ガラスまたは陶磁器からなる、底面部、前記底面部と高さ方向反対側の開口部、および前記底面部と前記開口部の間の側面部を有する中空成形体の底部または開口部を保持するための保持具であって、
前記保持具が、基板部と、前記基板部の周囲を囲む側壁部を有しており、
前記基板部の中心部を含む一部または前記基板部の全部が、頂部に凹部が形成された湾曲面部を含む支持部を有しているものであり、
前記側壁部が、前記中空成形体の底面部側または開口部側の側面部に当接できる内表面形状を有しているものであり、
前記中空成形体の底面部側を保持する必要があるときは、前記底面部が前記基板部の支持部に当接され、かつ前記中空成形体の底面部側の側面部が前記側壁部の内表面に当接されるように置かれ、
前記中空成形体の開口部側を保持する必要があるときは、前記支持部の凹部に前記中空成形体の開口部側が嵌め込まれるか、または前記支持部若しくは前記側壁部と前記支持部の境界部分に前記開口部の周縁が当接されるように置かれることで保持されるものである、保持具を提供する。
【発明の効果】
【０００６】
本発明の保持具は、ガラスまたは陶磁器からなるびん容器などを使用した飲料製品の保管および運搬時において、取り扱いが容易であり、ラベルなどの損傷もない。
また本発明の保持具は、ガラスまたは陶磁器からなる花びん、コップ、ジョッキなどを陳列などするときにも使用することができる。
【図面の簡単な説明】
【０００７】
【図１】本発明の保持具の平面図。
【図２】図１のII−II線に沿う断面図。
【図３】図１のIII−III線に沿う断面図。
【図４】（ａ）は本発明の別実施形態の保持具の平面図、（ｂ）は（ａ）の部分正面図。
【図５】図１に示す保持具を使用したガラスびんの保持方法の説明図。
【図６】図１に示す保持具を使用した陶磁器製の花びんまたはガラス製ジョッキの保持方法の説明図。
【発明を実施するための形態】
【０００８】
＜中空成形体の保持具＞
図１〜図３に示す本発明の保持具１は、中空成形体の底部または開口部を保持するためのものである。
本発明の保持具１による保持対象となる中空成形体は、ガラスまたは陶磁器からなるものであり、一部（例えば栓）にガラスや陶磁器を除いた他の材質（例えば金属、木、コルク、樹脂、ゴム、エラストマー）からなるものを含んでいるものでもよい。
中空成形体の形状、大きさ（容積および高さ）、厚さなどは特に制限されるものではない。
【０００９】
中空成形体は、底面部、前記底面部と高さ方向反対側の開口部、および前記底面部と前記開口部の間の側面部を有するものである。
底面部は、開口部方向に湾曲された凹部面のほか、底面部に脚部となる環状壁部が形成された形状のもの、平坦面であるものでもよい。
開口部は、用途に応じて２以上が形成されていてもよい。
側面部は、均一幅（均一径）であってもよいし、部分的に幅（外径）が異なっているものでもよい。
【００１０】
ガラスまたは陶磁器からなる中空成形体としては、アルコール飲料のびん（密栓されたアルコール飲料製品）、非アルコール飲料のびん（密栓された非アルコール製品）、花びん、コップ、ジョッキなどから選ばれるものを挙げることができる。
なお、中空成形体には、中味が入っていない（栓がされていない）アルコール飲料びんや非アルコール飲料びんなども含まれる。
【００１１】
保持具１は、ポリプロピレンなどの熱可塑性樹脂、ゴム、エラストマーなどからなるものであり、基板部１０と、基板部１０を囲む側壁部２０を有している。
基板部１０は、側壁部２０が伸ばされた側が第１面１１、厚さ方向の反対側が第２面１２になっている。
【００１２】
基板部１０の平面形状は、保持対象となる中空成形体の底面部または開口部（但し、花びん、コップ、ジョッキの開口部であり、びんの栓は含まない）と同一形状である。
図１に示す基板部１０（支持部３０）の平面形状は円形であるが、楕円形、正三角形、正方形、正六角形などの他の形状であってもよい。
【００１３】
基板部１０の第１面１１の中心を含む位置には、側壁部２０と同方向に突き出された支持部３０が形成されている。
支持部３０は、図２および図３に示すように湾曲面部３１と、湾曲面部３１の頂部に形成された円形凹部３２を有している。
図１〜図３は、基板部１０の全体が支持部３０からなるものであるが、側壁部２０と支持部３０の間において、側壁部２０と支持部３０を連結する連結部が形成されていてもよい。連結部は側壁部２０と支持部３０を連結するものであるため、平坦面部または浅い環状凹部（凹部は曲面）などでもよい。
円形凹部３２は、平面形状が円形のものであり、内側環状壁部３３と底部３４からなるものである。
内側環状壁部３３は、図１では底部３４に向かって内径が小さくなるような傾斜面であるが、内径が同一である垂直面でもよい。
円形凹部３２は、基板１０の第２面１２側に突き出された形状になっている。
円形凹部３２の底部３４には、強度を高めるためのリブが形成されていてもよく、複数の同心円からなるリブ、渦巻き状のリブ、複数本の直線状リブなどにすることができる。
【００１４】
湾曲面部３１は幅方向の断面形状が湾曲している部分であり、内側環状壁部３３との境界部３５の高さが最大（頂部）となり、側壁部２０側に向かって下る湾曲面となっている。
湾曲面部３１と側壁部２０との間には、図１に示すように４箇所の略長円形凹部３６〜３９が形成されている。
略長円形凹部３６〜３９は、それら自体が基板部１０を補強するように機能するものであり、さらにそれらの底部にはリブを形成することができる。
湾曲面部３１は、摩擦力を高めるため、小さな凹凸が多数形成されたざらざらした面にすることもできる。
【００１５】
側壁部２０は、基板部１０を囲んで形成されたものであり、平面形状は正方形であるが、円形、楕円形、正三角形、長方形、正六角形などの他の形状であってもよい。
側壁部２０は、保持具１の強度を高めるためのものであるから、前記強度を維持できるものであれば形状は特に制限されるものではないが、高さは保持対象となる中空成形体の表面に貼り付けられたラベルなどと接触しない高さであることが好ましい。
側壁部２０は、環状平面部２１、環状平面部２１の外周縁部から基板部１０方向に下ろされた外側壁部２７、環状平面部２１の内周縁部から基板部１０方向に下ろされた内側壁部２８を有している。
外側壁部２２は、基板部１０の外側に位置しており、内側壁部２３は基板部１０の支持部３０と一体になっている。
【００１６】
環状平面部２１は、４箇所の隅部２２ａ〜２５ａを含む部分が他の部分（四隅を除いた辺部２２ｂ〜２５ｂ）よりも幅が大きくなっている。
隅部２２ａ〜２５ａの内側面には、複数の保持具１を積み重ねたときに互いに嵌まり込んで分離できなくなることを防止するための分離用凹部２６が形成されている。
環状平面部２１は、図１〜図３では、４箇所の辺部２２ｂ〜２５ｂがアーチ形状の凹部形状になっているが、逆台形状の凹部形状（図４（ｂ）と同形状）や凹部のない平坦面でもよい。
側壁部２０で囲まれた支持部３０を含む部分は、使用対象となる中空成形体の底部形状または開口部形状と同じ形状になっている。
【００１７】
図４（ａ）は、図１に示す保持具１の別実施形態の保持具101〜103が一つになるように組み合わされた保持具100である。
保持具100は、３つの中空成形体を保持することができる。
保持具101〜103の側壁部120は、図４（ｂ）に示すとおり、逆台形状の凹部121が形成された形状になっている。
【００１８】
＜中空成形体の保持方法＞
次に、図５により保持具１を使用する中空成形体の保持方法について説明する。
手順１では、中空成形体として、例えば日本酒が入った一升瓶（市販されている日本酒製品）５０を用意する。
【００１９】
手順２では、保管用または運搬用の箱容器の底に１または複数の図１に示す保持具１と同じ保持具１Ａを配置する。
【００２０】
手順３では、一升瓶５０の底面部５１が保持具１Ａの基板部１０の支持部３０に当接され、かつ一升瓶５０の底面部５１側の側面部５２が、保持具１Ａの側壁部２０の内表面に当接されるように置く。
図５では、一升瓶５０の重さによって支持部３０の湾曲面部３１が押し潰された状態が示されている。このように湾曲面部３１が押し潰されることでクッション性と安定性が高められており、さらに運搬中に一升瓶５０が回転することも防止できる。なお、湾曲面部３１の表面を小さな凹凸が多数形成されたざらざらした面にしたときは、前記回転防止効果を補助するように作用する。
なお、保持具１Ａの側壁部２０の高さは、一升瓶５０に貼り付けられたラベル５４と接触しないように調整されている。
【００２１】
手順４では、一升瓶５０の栓５３に別の保持具１Ｂの支持部３０の凹部３２を嵌め込んで被せる。
その後、保管用または運搬用の箱容器の蓋を閉める。このとき、蓋の内側面で第２面１２側を押さえるようにすることで、保持具１Ｂが固定できる。
このようにして一升瓶５０は、上下から二つの保持具１Ａ、１Ｂにより保持されているため、安定して保管および運搬ができるようになる。
【００２２】
次に、図６により保持具１を使用する別実施形態である中空成形体の保持方法について説明する。
手順１では、中空成形体としてガラス製の花びん６０を用意する。
手順２では、花びん６０を陳列する台上に保持具１を配置する。花びん６０は、花が生けられた状態のものでもよい。
手順３では、花びん６０の底面部６１が保持具１の基板部１０の支持部３０に当接され、かつ花びん６０の底面部６１側の側面部６２が側壁部２０の内表面に当接されるように花びんを置く。
図６では、花びん６０の重さによって支持部３０の湾曲面部３１が押し潰された状態が示されている。
このように湾曲面部３１が押し潰されることでクッション性と安定性が高められており、さらに陳列中に花びん６０の向きがずれることも防止できる。なお、湾曲面部３１の表面を小さな凹凸が多数形成されたざらざらした面にしたときは、前記ずれ防止効果を補助するように作用する。
【００２３】
中空成形体としてガラスジョッキを使用するときは、ガラスジョッキの開口部側を保持具１に置くこともできる。
このときは、ガラスジョッキの開口部が支持部３０または支持部３０と側壁部２０との境界部分に当接され、かつガラスジョッキの開口部側の側面部が側壁部２０の内表面に当接されるように置く。
【産業上の利用可能性】
【００２４】
本発明の保持具は、ガラス製または陶磁器製のびん、花びん、コップ、ジョッキなどを保管、運搬、陳列などするときに利用することができる。
【符号の説明】
【００２５】
１、１Ａ、１Ｂ、100  保持具
１０  基板部
２０  側壁部
３０  支持部
３１  湾曲面部
３２  凹部
【図１】
2019034778.tif 000003
【図２】
2019034778.tif 000004
【図３】
2019034778.tif 000005
【図４】
2019034778.tif 000006
【図５】
2019034778.tif 000007
【図６】
2019034778.tif 000008